(57)【要約】【課題】色温度の変更を簡単に行うことができる照明器具を提供する。【解決手段】  照明器具１０は、器具本体１１と、器具本体１１に収容されてＬＥＤチップ１６をＬＥＤ基板１７に実装してなり、少なくとも２種類の色温度の光が発光され、互いの光の一部または全部が合成される複数のＬＥＤパッケージ１２，１３，１４，１５と、複数のＬＥＤパッケージ１２，１３，１４，１５を固定するための取付部材１８とを備える。【選択図】図１
2011175783.tif 000002
【特許請求の範囲】
【請求項１】
器具本体と、
前記器具本体に収容されてＬＥＤチップをＬＥＤ基板に実装してなり、少なくとも２種類の色温度の光が発光され、互いの光の一部または全部が合成される複数のＬＥＤパッケージと、
前記複数のＬＥＤパッケージを固定するための取付部材とを備える照明器具。
【請求項２】
前記ＬＥＤパッケージは、取付具により着脱自在に前記取付部材に取り付けられている請求項１に記載の照明器具。
【請求項３】
前記ＬＥＤパッケージは、少なくとも２つの前面にレンズが配置されており、前記レンズにより光が合成される請求項１または請求項２に記載の照明器具。
【発明の詳細な説明】
【技術分野】
【０００１】
本発明は、ＬＥＤを光源として例えば屋外に配置されて被照射対象を照射するライトアップ照明器具に適用される照明器具に関する。
【背景技術】
【０００２】
従来の照明器具の一例として、複数のＬＥＤチップを基板に実装したＬＥＤモジュールを筒状に配列した側面発光部と、複数のＬＥＤチップを基板に実装したＬＥＤモジュールを側面発光部の前面に配列した前面発光部と、側面発光部の背面に配置された口金とを備えたものがある（例えば、特許文献１参照）。
【先行技術文献】
【特許文献】
【０００３】
【特許文献１】特開平１０−８３７０９号公報（図１、請求項１）
【発明の概要】
【発明が解決しようとする課題】
【０００４】
屋外に配置されて被照射対象を照射するライトアップ照明器具においては、ライトアップする被照射対象毎に、きれいに見せるための照射光が求められる。そのため、被照射対象に最適な色温度に設定する必要がある。
ところが、上記特許文献１に開示された従来の照明器具では、側面発光部と前面発光部とが一体構造になっている。
従って、上記特許文献１に開示された従来の照明器具では、側面発光部または前面発光部を個別に取り換えて被照射対象に最適な色温度に設定することが難しい。
【０００５】
本発明は、前述した課題を解決するためになされたものであり、その目的は、色温度の変更を簡単に行うことができる照明器具を提供することにある。
【課題を解決するための手段】
【０００６】
本発明に係る照明器具は、器具本体と、器具本体に収容されてＬＥＤチップをＬＥＤ基板に実装してなり、少なくとも２種類の色温度の光が発光され、互いの光の一部または全部が合成される複数のＬＥＤパッケージと、複数のＬＥＤパッケージを固定するための取付部材とを備える。
【０００７】
本発明に係る照明器具は、ＬＥＤパッケージは、取付具により着脱自在に取付部材に取り付けられている。
【０００８】
本発明に係る照明器具は、ＬＥＤパッケージは、少なくとも２つの前面にレンズが配置されており、レンズにより光が合成される。
【発明の効果】
【０００９】
本発明の照明器具によれば、色温度の変更を簡単に行うことができるという効果を有する。
【図面の簡単な説明】
【００１０】
【図１】本発明に係る第１実施形態の照明器具の斜め下方から視た外観斜視図
【図２】図１の照明器具の垂直断面図
【図３】（Ａ）は図１の照明器具に適用される第１ＬＥＤパッケージの外観斜視図、（Ｂ）は図１の照明器具に適用される第２ＬＥＤパッケージの外観斜視図、（Ｃ）は図１の照明器具に適用される第３ＬＥＤパッケージの外観斜視図
【図４】図１の照明器具のＬＥＤパッケージの結線図
【図５】図１の照明器具の取付部材の垂直断面図
【図６】図１の照明器具の光学的特性を説明する垂直断面図
【図７】図１の照明器具の取付部材の第１変形例の垂直断面図
【図８】本発明に係る第２実施形態の照明器具の斜め下方から視た外観斜視図
【図９】（Ａ）は図８の照明器具に適用される第１ＬＥＤパッケージの外観斜視図、（Ｂ）は図８の照明器具に適用される第２ＬＥＤパッケージの外観斜視図、（Ｃ）は図８の照明器具に適用される第３ＬＥＤパッケージの外観斜視図、（Ｄ）は図８の照明器具に適用される第４ＬＥＤパッケージの外観斜視図
【図１０】図８の照明器具の光学的特性を説明する垂直断面図
【図１１】図８の照明器具の第１変形例の光学的特性を説明する垂直断面図
【図１２】図８の照明器具の第２変形例の光学的特性を説明する垂直断面図
【図１３】図８の照明器具の第３変形例の光学的特性を説明する垂直断面図
【発明を実施するための形態】
【００１１】
以下、本発明の複数の実施形態に係る照明器具について図面を参照して説明する。
（第１実施形態）
本発明の第１実施形態である照明器具１０は、器具本体１１と、複数のＬＥＤチップ１６が円板形のＬＥＤ基板１７にそれぞれ実装された例えば４個の同一形状の第１ＬＥＤパッケージ１２、第２ＬＥＤパッケージ１３、第３ＬＥＤパッケージ１４、第４ＬＥＤパッケージ１５と、第１ＬＥＤパッケージ１２、第２ＬＥＤパッケージ１３、第３ＬＥＤパッケージ１４、第４ＬＥＤパッケージ１５を固定するための取付部材１８とを備えるライトアップ照明器具である。
【００１２】
図１、図２に示すように、器具本体１１は、例えば絶縁性を有する硬質な樹脂材料やダイカスト等の金属材料を用いて周板２０と天板２１とを有する器具外郭１９と、器具外郭１９と同様の材料を用いて成形されたキャップ２２とから形成されている。天板２１には、取付部材１８を固定するための基台２３が下方に向けて突出形成されている。器具外郭１９には、周板２０内の天板２１の下面に点灯ユニット２４が取り付けられている。点灯ユニット２４は、不図示の電源端子台を通じて外部の商用電源の制御回路に電気的に接続される。器具本体１１は、器具外郭１９の下端部の開口部にパネル２５が取り付けられている。
【００１３】
図３（Ａ）に示すように、複数のＬＥＤチップ１６がＬＥＤ基板１７にそれぞれ実装された第１ＬＥＤパッケージ１２は、２８００Ｋ（ケルビン）の色温度に設定されている。
図３（Ｂ）に示すように、複数のＬＥＤチップ１６がＬＥＤ基板１７にそれぞれ実装された第２ＬＥＤパッケージ１３は、第１ＬＥＤパッケージ１２の色温度とは異なる３５００Ｋの色温度に設定されている。
図３（Ｃ）に示すように、複数のＬＥＤチップ１６がＬＥＤ基板１７にそれぞれ実装された第３ＬＥＤパッケージ１４は、第１ＬＥＤパッケージ１２および第２ＬＥＤパッケージ１３の色温度とは異なる５０００Ｋの色温度に設定されている。なお、ここでは図示しないが、第４ＬＥＤパッケージ１５は、第１ＬＥＤパッケージ１２、第２ＬＥＤパッケージ１３および第３ＬＥＤパッケージ１４とは異なる色温度に任意に選択設定される。各ＬＥＤ基板１７は、対向位置にネジ孔２６をそれぞれ有する。
【００１４】
図４に示すように、点灯ユニット２４には、器具配線２７を介して一方のコネクタ２８が接続されている。第１ＬＥＤパッケージ１２、第２ＬＥＤパッケージ１３、第３ＬＥＤパッケージ１４、第４ＬＥＤパッケージ１５の各ＬＥＤ基板１７のプリント回路には、器具配線２９を介して他方のコネクタ３０が接続されている。そのため、コネクタ２８，３０の挿脱により、第１ＬＥＤパッケージ１２、第２ＬＥＤパッケージ１３、第３ＬＥＤパッケージ１４、第４ＬＥＤパッケージ１５は、点灯ユニット２４への電気的接続および点灯ユニット２４からの遮断が簡単に行われる。
【００１５】
図５に示すように、取付部材１８は、絶縁性を有する樹脂材料等を用いて成形されており、円板形状に形成された本体部３１の下面に、上方を凹としたすり鉢形状で４個のパッケージ取付面３２を有する。そして、パッケージ取付面３２に不図示のネジ孔を有する。そのため、取付けにあたり、例えば第１ＬＥＤパッケージ１２のＬＥＤ基板１７のネジ孔２６を通じてパッケージ取付面３２のネジ孔に取付具であるネジ３３をネジ込むことにより第１ＬＥＤパッケージ１２が取付部材１８に取り付けられる。これとは異なり、取り外しに際しては、ネジ３３を緩めてパッケージ取付面３２からネジ３３を抜き取ることにより第１ＬＥＤパッケージ１２を取付部材１８から簡単に取り外すことができる。第１ＬＥＤパッケージ１２、第２ＬＥＤパッケージ１３、第３ＬＥＤパッケージ１４、第４ＬＥＤパッケージ１５は取付部材１８のパッケージ取付面３２により円形配列で取り付けられる。
【００１６】
次に、照明器具１０の光学的特性について説明する。図６に示すように、点灯ユニット２４から第１ＬＥＤパッケージ１２、第２ＬＥＤパッケージ１３、第３ＬＥＤパッケージ１４、第４ＬＥＤパッケージ１５に所定の電流が供給されることにより、第１ＬＥＤパッケージ１２、第２ＬＥＤパッケージ１３、第３ＬＥＤパッケージ１４、第４ＬＥＤパッケージ１５の各ＬＥＤチップ１６が発光され、各ＬＥＤチップ１６からの光がパネル２５を通じて被照射対象に向けて照射される。このとき、第１ＬＥＤパッケージ１２の色温度、第２ＬＥＤパッケージ１３の色温度、第３ＬＥＤパッケージ１４の色温度、第４ＬＥＤパッケージ１５の色温度がそれぞれ異なるために、それぞれの色温度が合成された合成光が創生されて合成光により被照射対象が照射される。
【００１７】
照明器具１０は、被照射対象に最適な色温度に変更する必要が生じた場合、所定の色温度に設定されたＬＥＤパッケージを用意し、用意されたＬＥＤパッケージを、第１ＬＥＤパッケージ１２、第２ＬＥＤパッケージ１３、第３ＬＥＤパッケージ１４、第４ＬＥＤパッケージ１５のいずれかと交換して取付部材１８に取り付ける。これにより、被照射対象に最適な光色に簡単に切換え設定することができる。
【００１８】
従って、この第１実施形態の照明器具１０においては、異なる色温度に設定された複数のＬＥＤパッケージを用意しておき、用意されたＬＥＤパッケージを、第１ＬＥＤパッケージ１２、第２ＬＥＤパッケージ１３、第３ＬＥＤパッケージ１４、第４ＬＥＤパッケージ１５のいずれかと交換して取付部材１８に取り付ける。
これにより、この第１実施形態の照明器具１０においては、色温度を適宜変更することにより被照射対象に最適な光色に簡単に切換え設定することができるとともに色ムラを防止することができる。
【００１９】
また、この第１実施形態の照明器具１０においては、取付部材１８にネジ３３をネジ込んだりネジ３３を緩めたりする作業だけで第１ＬＥＤパッケージ１２、第２ＬＥＤパッケージ１３、第３ＬＥＤパッケージ１４、第４ＬＥＤパッケージ１５および用意された他のＬＥＤパッケージの取付けおよび取り外しが行われる。
これにより、この第１実施形態の照明器具１０においては、施工現場において被照射対象に最適な光色への変更や調整を簡単に行うことができる。
【００２０】
加えて、この第１実施形態の照明器具１０においては、第１ＬＥＤパッケージ１２、第２ＬＥＤパッケージ１３、第３ＬＥＤパッケージ１４、第４ＬＥＤパッケージ１５がコネクタ２８，３０を介して点灯ユニット２４に接続されている。
これにより、この第１実施形態の照明器具１０においては、施工現場等において、第１ＬＥＤパッケージ１２、第２ＬＥＤパッケージ１３、第３ＬＥＤパッケージ１４、第４ＬＥＤパッケージ１５および用意された他のＬＥＤパッケージの取付けおよび取り外しの際の結線を簡単に確実に行うことができる。
【００２１】
次に、照明器具１０に適用される取付部材の第１変形例について説明する。図７に示すように、第１変形例の取付部材３４は、パッケージ取付面３２にＬＥＤ基板１７を弾性的に把持するための取付具である一対の可撓係止片３５をＬＥＤ基板１７の対向位置に設けている。取付けにあたり、例えば第１ＬＥＤパッケージ１２のＬＥＤ基板１７を可撓係止片３５に向けて押圧挿入することにより、可撓係止片３５が弾性変形することによりＬＥＤ基板１７の挿入が許容され、その後に可撓係止片３５が弾性復元することによりＬＥＤ基板１７がパッケージ取付面３２に固定される。これとは異なり、取り外しに際しては、可撓係止片３５をＬＥＤ基板１７から離すように弾性変形させることにより、第１ＬＥＤパッケージ１２を取付部材３４から簡単に取り外すことができる。
【００２２】
従って、本変形例においては、取付部材３４の一対の可撓係止片３５にＬＥＤ基板１７を押圧させたり可撓係止片３５を弾性変形させたりする作業だけで第１ＬＥＤパッケージ１２、第２ＬＥＤパッケージ１３、第３ＬＥＤパッケージ１４、第４ＬＥＤパッケージ１５および用意された他のＬＥＤパッケージの取付けおよび取り外しが行われる。
これにより、本変形例においては、施工現場において被照射対象に最適な光色への変更や調整を簡単に行うことができる。
【００２３】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
図８に示すように、本発明の第２実施形態の照明器具４０は、照射角度変更用のブラケット４１に四角形の器具本体４２が取り付けられている。器具本体４２には、四角形のＬＥＤ基板１７を有する例えば６個の同一形状の第１ＬＥＤパッケージ４３、第２ＬＥＤパッケージ４４、第３ＬＥＤパッケージ４５、第４ＬＥＤパッケージ４６、第５ＬＥＤパッケージ４７、第６ＬＥＤパッケージ４８が平面状の取付部材４９上に四角形配列で取り付けられている。
【００２４】
図９（Ａ）に示すように、第１ＬＥＤパッケージ４３は２８００Ｋの色温度に設定されている。
図９（Ｂ）に示すように、第２ＬＥＤパッケージ４４は第１ＬＥＤパッケージ４３の色温度とは異なる３５００Ｋの色温度に設定されている。
図９（Ｃ）に示すように、第３ＬＥＤパッケージ４５は第１ＬＥＤパッケージ４３および第２ＬＥＤパッケージ４４の色温度とは異なる５０００Ｋの色温度に設定されている。  図９（Ｄ）に示すように、第４ＬＥＤパッケージ４６は、図中のいちばん左側の１個のＬＥＤチップ１６が２８００Ｋの色温度に設定されており、図中の真ん中の２個のＬＥＤチップ１６が３５００Ｋの色温度に設定されており、図中のいちばん右側の１個のＬＥＤチップ１６が５０００Ｋの色温度に設定されている。なお、ここでは図示しないが、第５ＬＥＤパッケージ４７および第６ＬＥＤパッケージ４８は、第１ＬＥＤパッケージ４３、第２ＬＥＤパッケージ４４、第３ＬＥＤパッケージ４５および第４ＬＥＤパッケージ４６とは異なる色温度に任意に選択設定される。
【００２５】
図１０に示すように、第１ＬＥＤパッケージ４３、第２ＬＥＤパッケージ４４、第３ＬＥＤパッケージ４５、第４ＬＥＤパッケージ４６、第５ＬＥＤパッケージ４７、第６ＬＥＤパッケージ４８には、それぞれのＬＥＤチップ１６にレンズ５０がそれぞれ取り付けられている。
照明器具４０の光学的特性は、図８を参照して、レンズ５０により光学的に合成制御されるために、図中の右方側が高い色温度領域Ａに設定され、図中の左方側が低い色温度領域Ｂに設定され、図中の中央部が合成された色温度領域Ｃに設定されてグラデーションのある光が創生される。
【００２６】
従って、この第２実施形態の照明器具４０においては、レンズ５０により光が合成制御される。
これにより、この第２実施形態の照明器具４０においては、レンズ５０に有する光学的特性によるグラデーションのある光により被照射対象の光の演出を行うことができる。
【００２７】
次に、照明器具の第１変形例について説明する。
図１１に示すように、本変形例の照明器具６０は、第１ＬＥＤパッケージ４３、第２ＬＥＤパッケージ４４、第３ＬＥＤパッケージ４５、第４ＬＥＤパッケージ４６、第５ＬＥＤパッケージ４７、第６ＬＥＤパッケージ４８にレンズ５０がそれぞれ取り付けられているとともに、レンズ５０の前面に、全てのレンズ５０を覆う単一のレンズ６１が取り付けられている。
【００２８】
照明器具６０の光学的特性は、レンズ５０およびレンズ６１により光学的に合成制御されるために、図中の右方側が高い色温度領域Ａに設定され、図中の左方側が低い色温度領域Ｂに設定され、図中の中央部が合成された色温度領域Ｃに設定されてグラデーションのある光が創生される。
【００２９】
従って、本変形例の照明器具６０においては、レンズ５０およびレンズ６１により光が合成制御される。
これにより、本変形例の照明器具６０においては、レンズ５０およびレンズ６１に有する光学的特性によるグラデーションのある光により被照射対象の光の演出を行うことができる。
【００３０】
次に、照明器具の第２変形例について説明する。
図１２に示すように、本変形例の照明器具７０は、第１ＬＥＤパッケージ４３、第２ＬＥＤパッケージ４４と、第３ＬＥＤパッケージ４５、第４ＬＥＤパッケージ４６と、第５ＬＥＤパッケージ４７、第６ＬＥＤパッケージ４８との前面に、レンズ７１がそれぞれ取り付けられている。
【００３１】
照明器具７０の光学的特性は、レンズ７１により光学的に合成制御されるために、図中の右方側が高い色温度領域Ａに設定され、図中の左方側が低い色温度領域Ｂに設定され、図中の中央部が合成された色温度領域Ｃに設定されてグラデーションのある光が創生される。
【００３２】
従って、本変形例の照明器具７０においては、レンズ７１により光が合成制御される。
これにより、本変形例の照明器具７０においては、レンズ７１に有する光学的特性によるグラデーションのある光により被照射対象の光の演出を行うことができる。
【００３３】
次に、照明器具の第３変形例について説明する。
図１３に示すように、本変形例の照明器具８０は、第１ＬＥＤパッケージ４３、第２ＬＥＤパッケージ４４、第３ＬＥＤパッケージ４５、第４ＬＥＤパッケージ４６、第５ＬＥＤパッケージ４７、第６ＬＥＤパッケージ４８の全ての前面に、単一のレンズ８１が取り付けられている。
【００３４】
照明器具８０の光学的特性は、レンズ８１により光学的に合成制御されるために、図中の右方側が高い色温度領域Ａに設定され、図中の左方側が低い色温度領域Ｂに設定され、図中の中央部が合成された色温度領域Ｃに設定されてグラデーションのある光が創生される。
【００３５】
従って、本変形例の照明器具８０においては、レンズ８１により光が合成制御される。
これにより、本変形例の照明器具８０においては、レンズ８１に有する光学的特性によるグラデーションのある光により被照射対象の光の演出を行うことができる。
【００３６】
なお、前記各実施形態で使用した器具本体１１，４２、ＬＥＤチップ１６、ＬＥＤ基板１７等は例示したものに限定するものではなく適宜変更が可能である。
【符号の説明】
【００３７】
１０、４０、６０、７０、８０  照明器具
１１、４２  器具本体
１２、４３  第１ＬＥＤパッケージ
１３、４４  第２ＬＥＤパッケージ
１４、４５  第３ＬＥＤパッケージ
１５、４６  第４ＬＥＤパッケージ
１６  ＬＥＤチップ
１７  ＬＥＤ基板
１８、３４、４９  取付部材
３３  ネジ（取付具）
３５  可撓係止片（取付具）
４７  第５ＬＥＤパッケージ
４８  第６ＬＥＤパッケージ
５０、６１、７１、８１  レンズ
【図１】
2011175783.tif 000003
【図２】
2011175783.tif 000004
【図３】
2011175783.tif 000005
【図４】
2011175783.tif 000006
【図５】
2011175783.tif 000007
【図６】
2011175783.tif 000008
【図７】
2011175783.tif 000009
【図８】
2011175783.tif 000010
【図９】
2011175783.tif 000011
【図１０】
2011175783.tif 000012
【図１１】
2011175783.tif 000013
【図１２】
2011175783.tif 000014
【図１３】
2011175783.tif 000015